(57)【要約】【課題】各種のシェルフユニットに対応可能な遮蔽板の取付装置を提供する。【解決手段】上下面に通気孔を有し内部に電子部品を有した上下のシェルフユニット３０，３０の間に水平面に対して傾斜するように取り付けられる遮蔽板２０の取付装置１である。遮蔽板２０の取付装置１は、水平軸まわりに回動自在に設けられて水平面に対して傾斜角度を調節可能とされ、遮蔽板２０を着脱自在に保持する角度調整具２と、角度調整具２を固定する固定架６とを備える。【選択図】図１
2016134401.tif 000002
【特許請求の範囲】
【請求項１】
上下面に通気孔を有し内部に電子部品を有した上下のシェルフユニットの間に水平面に対して傾斜するように取り付けられる遮蔽板の取付装置であって、
水平軸まわりに回動自在に設けられて水平面に対して傾斜角度を調節可能とされ、前記遮蔽板を着脱自在に保持する角度調整具と、
前記角度調整具を固定する固定架と
を備えたことを特徴とする遮蔽板の取付装置。
【請求項２】
前記角度調整具は、前記遮蔽板の端部を差し込み可能な凹溝を有することを特徴とする請求項１に記載の遮蔽板の取付装置。
【請求項３】
前記角度調整具は、角度調整具取付板を介して前記固定架に固定され、
前記角度調整具取付板は、前記角度調整具と相対する面に角度目盛を有しており、前記面に前記角度調整具が配設されることを特徴とする請求項１または２に記載の遮蔽板の取付装置。
【請求項４】
前記角度調整具は、上下方向に移動自在に前記固定架に固定されることを特徴とする請求項１から３のいずれか一項に記載の遮蔽板の取付装置。
【発明の詳細な説明】
【技術分野】
【０００１】
本発明は、遮蔽板の取付装置に関する。より詳細には、電子部品を収納した下側シェルフユニットからの暖められた空気が上側シェルフユニットに熱的悪影響を与えないようにする遮蔽板の取付装置に関する。
【背景技術】
【０００２】
電子機器としては、複数のシェルフユニットが上下方向に配設されたものが知られている。それぞれのシェルフユニットは、筐体の内部に電子部品を収納している。電子部品には熱を発するものもある。電子部品の動作温度が高まると電子部品の動作性能が低下する。このため、筐体の上下面に通気孔を設けて、電子部品の発する熱で暖められた空気を自然対流により上面の通気孔から排出することが行われているが、下側シェルフユニットからの暖められた空気が上側シェルフユニットに熱的悪影響を与えてしまう。そこで、この暖められた空気が上側シェルフユニットに熱的悪影響を与えないように上下のシェルフユニットの間に遮蔽板を設けている（例えば、特許文献１−３参照）。
【０００３】
遮蔽板の構成および作用について、図７を参照して説明する。図７では、シェルフユニット４０が上下方向に４段配設されている。隣接する上下のシェルフユニット４０，４０の間には、遮蔽板４２を有した熱分離ユニット４１が組み込まれている。各熱分離ユニット４１の遮蔽板４２は、下側のシェルフユニット４０の前側上端部と上側のシェルフユニット４０の後側下端部との間を架け渡すように、後方に向かって斜め上方に延びて形成されている。遮蔽板４２の前端部には通気口（図示なし）を有する前板４３が形成され、遮蔽板４２の側端部には側板４４が形成されている。遮蔽板４２、前板４３および側板４４は一体に形成されて熱分離ユニット４１を構成している。
【０００４】
図７中の矢印は空気の流れ方向を示す。熱分離ユニット４１の下側に位置するシェルフユニット４０からの暖められた空気は、遮蔽板４２の下面に沿って流れ、熱分離ユニット４０の後ろ斜め上方（上側のシェルフユニット４０の後方）に向かう。一方、熱分離ユニット４０の前板４３の通気口から流入した外部空気は、遮蔽板４２の上面に沿って流れ、熱分離ユニット４１の上側に位置するシェルフユニット４０に向かう。
【０００５】
以上のように上下のシェルフユニット４０，４０の間に遮蔽板４２が設けられると、下側のシェルフユニット４０からの暖められた空気が熱分離ユニット４１の後ろ斜め上方に向かう自然空冷のための空気の流通路が形成される。この空気の流通路は上側のシェルフユニット４０内を経由しない。したがって、熱分離ユニット４１の遮蔽板４２によって、下側のシェルフユニット４０からの暖められた空気が上側のシェルフユニット４０に熱的悪影響を与えないようにすることができる。
【先行技術文献】
【特許文献】
【０００６】
【特許文献１】特開平１１−３０７９７２号公報
【特許文献２】特開２００４−２２８３１０号公報
【特許文献３】特開２０１３−１９１７３２号公報
【発明の概要】
【発明が解決しようとする課題】
【０００７】
ところで、図７の熱分離ユニット４１の高さ寸法および前後方向の長さ寸法は、下側のシェルフユニット４０が有する電子部品の発熱量と上下のシェルフユニット４０，４０の前後方向の寸法に基づいて設定される。より詳細には、電子部品の発熱量が高いとそのシェルフユニット４０内に熱が蓄積しやすくなることから、排熱のために上記した空気の流通路において暖められた空気がより流れやすくなるように熱分離ユニット４１の遮蔽板４２の傾きを大きくすることが求められる。この熱分離ユニット４１の遮蔽板４２は、上記した空気の流通路を確保するために下側のシェルフユニット４０の前側上端部と上側のシェルフユニット４０の後側下端部との間を架け渡すように設けられる。図７の熱分離ユニット４１は、上述したように遮蔽板４２、前板４３および側板４４が一体に形成されていることから、遮蔽板４２の傾きを変えたり、上下のシェルフユニット４０，４０の間を架け渡すように遮蔽板４２の長さ寸法を変えたりするには、熱分離ユニット４１の高さ寸法および前後方向の長さ寸法を変える必要がある。したがって、図７において、シェルフユニット４０とは別の、電子部品の発熱量が異なるシェルフユニットが採用される場合、図７の熱分離ユニット４１を適用することができない。また、図７において、上下のシェルフユニット４０，４０とは別の、前後方向の長さ寸法が異なる上下のシェルフユニットが採用される場合も、図７の熱分離ユニット４１を適用することができない。これによって、熱分離ユニットを新たに設計する必要があり、製造コストが増大するという問題がある。
【０００８】
本発明は、上記の事情に鑑みてなされたものであり、各種のシェルフユニットに対応可能な遮蔽板の取付装置を提供することを目的とする。
【課題を解決するための手段】
【０００９】
上記目的を達成するために、本発明に係る遮蔽板の取付装置は、上下面に通気孔を有し内部に電子部品を有した上下のシェルフユニットの間に水平面に対して傾斜するように取り付けられる遮蔽板の取付装置であって、水平軸まわりに回動自在に設けられて水平面に対して傾斜角度を調節可能とされ、前記遮蔽板を着脱自在に保持する角度調整具と、前記角度調整具を固定する固定架とを備えたことを特徴とする。
【００１０】
また本発明は、上記の遮蔽板の取付装置において、前記遮蔽板の端部を差し込み可能な凹溝を有することを特徴とする。
【００１１】
また本発明は、上記の遮蔽板の取付装置において、前記角度調整具は、角度調整具取付板を介して前記固定架に固定され、前記角度調整具取付板は、前記角度調整具と相対する面に角度目盛を有しており、前記面に前記角度調整具が配設されることを特徴とする。
【００１２】
また本発明は、遮蔽板の取付装置において、前記角度調整具は、上下方向に移動自在に前記固定架に固定されることを特徴とする。
【発明の効果】
【００１３】
本発明は、電子部品の発熱量や水平方向の長さ寸法が異なるシェルフユニットが採用される場合でも、そのシェルフユニットに応じて傾斜角度を調節した角度調整具で遮蔽板を保持することができる。これによって、上下のシェルフユニットの間に、遮蔽板を水平面に対して傾斜するように設けることができる。したがって、本発明に係る遮蔽板の取付装置は、各種のシェルフユニットに対応可能である。
【図面の簡単な説明】
【００１４】
【図１】図１は、本発明の実施の形態である遮蔽板の取付装置に遮蔽板が取り付けられた状態を示す説明図である。
【図２】図２は、図１の遮蔽板の取付装置に遮蔽板が取り付けられた状態の平面図である。
【図３】図３は、図１の遮蔽板の取付装置における角度調整具の斜視図である。
【図４】図４は、図１の遮蔽板の取付装置における角度調整具取付板の斜視図である。
【図５】図５は、遮蔽板の取付手順を示した説明図である。
【図６】図６は、角度調整具の傾斜角度が設定された状態を示す説明図である。
【図７】図７は、従来の熱分離ユニットの使用例を示す説明図である。
【発明を実施するための形態】
【００１５】
以下に添付図面を参照して、本発明に係る遮蔽板の取付装置の実施の形態について詳細に説明する。
【００１６】
図１に示すように、４つのシェルフユニット３０が、上下方向に互いに離間して配設されている。各シェルフユニット３０は、筐体（図示なし）の内部に電子部品を収納している。筐体の上下面には通気孔が形成されている。隣接する上下のシェルフユニット３０，３０の間には、水平面に対して傾斜するように平板状の遮蔽板２０が設けられている。具体的には、遮蔽板２０は、直下に位置するシェルフユニット３０の前側上端部と直上に位置するシェルフユニット３０の後側下端部との間を架け渡すように、後方に向かって斜め上方に傾斜して設けられている。このような遮蔽板２０は、遮蔽板の取付装置１（以下、単に「取付装置」とも称する）に取り付けられている。
【００１７】
取付装置１は、図１および図２に示すように、水平軸まわりに回動自在に設けられて水平面に対して傾斜角度を調節可能とされ、遮蔽板２０を着脱自在に保持する角度調整具２と、角度調整具２を固定する固定架６とを備えている。
【００１８】
角度調整具２は、図２および図３に示すように、直方体形状の保持部３とネジ部５とを有して構成されている。保持部３の一面には凹溝４が設けられている。この凹溝４は、対向する各長辺の間に設けられており、長手方向に沿って長辺の全長にわたって延びている。凹溝４の幅（短手方向の長さ）は、遮蔽板２０の板厚よりも若干大きいものとされている。ネジ部５は、凹溝４が設けられている一面と対向する保持部３の面に、垂直方向に延びるように形成されている。
【００１９】
固定架６は、図２に示すように、断面視コ字型の形状を有する縦長の部材で構成されている。この断面視コ字型の部材は、略平行に離間した前板部７および後板部８と、前板部７および後板部８それぞれの短手方向一端部間に設けられた側板部９とを有している。前板部７には、後述する角度調整具取付板１０の固定架取付用穴１５に対応するネジ穴１８が設けられている。
【００２０】
本実施形態では、角度調整具２は、角度調整具取付板１０を介して固定架６に固定される。角度調整具取付板１０は、図２および図４に示すように、断面視Ｌ字型の形状を有する部材で構成されている。この断面視Ｌ字型の部材は、平板状の角度調整具取付部１１と平板状の固定部１４とを有している。角度調整具取付部１１の中央部には、角度調整具２のネジ部５に対応するネジ穴１２が表裏に貫通して設けられている。角度調整具取付部１１は、角度調整具２の保持部３よりもひとまわり大きく形成されており、角度調整具２と相対する面（表面）１１ａには、角度目盛１３が付されている。角度目盛１３は、角度調整具取付部１１の表面１１ａのネジ穴１２開口縁部から角度調整具取付部１１の外形周縁部まで径方向に放射線状に延びる目盛り線で構成される。
【００２１】
固定部１４は、角度調整具取付部１１の一端部に裏面側に起立して形成されている。固定部１４には、断面視Ｌ字型の部材のＬ字型断面に対して直交する方向２箇所に固定架取付用穴１５が表裏に貫通して設けられている。
【００２２】
遮蔽板２０の取付手順について図５を参照して説明する。本実施形態では、角度調整具２、固定架６および角度調整具取付板１０が２つずつ準備されている。
【００２３】
図５（ａ）に示すように、まず、２つの固定架６，６それぞれを、上下方向に複数段配設されているシェルフユニット（図示なし）を挟むようにその左右両側に配置する。複数段のシェルフユニットはこれら固定架６，６によって支持されるように配設されていてもよい。２つの固定架６，６は、断面視コ字状の開口部分が互いに対向する形態で配置される。このようにして配置される各固定架６は、隣接する上下のシェルフユニットの間に前板部７のネジ穴１８が位置するように設計されている。
【００２４】
次に、２つの角度調整具取付板１０，１０それぞれを各固定架６に固定する。各角度調整具取付板１０を固定するにあたっては、各角度調整具取付板１０の固定架取付用穴１５を各固定架６の前板部７のネジ穴１８に合わせるようにして各角度調整具取付板１０の固定部１４を各固定架６の前板部７の前面７ａに当接する。その際、角度調整具取付部１１，１１の表面１１ａ，１１ａが互いに対向するように角度調整具取付板１０，１０を配置する。次いで、固定部１４の前方からネジ１７を固定架取付用穴１５に差し込み、ネジ穴１８にねじ込んで角度調整具取付板１０を前板部７にねじ止めする。こうして各角度調整具取付板１０が各固定架６に固定される。
【００２５】
次に、図５（ｂ）に示すように、各角度調整具取付板１０のネジ穴１２に、角度調整具取付部１１の表面１１ａ側から各角度調整具２のネジ部５を差し込み、角度調整具取付部１１の表面１１ａに角度調整具２の保持部３を重ねる。こうして、各角度調整具２は、水平軸まわりに回動自在とされ、水平面に対して傾斜角度が調節可能とされる。
【００２６】
次に、角度調整具２を回動してその傾斜角度を設定する。角度調整具２の傾斜角度は、保持部３で遮蔽板２０を保持した際に、下側に位置するシェルフユニットの前側上端部と上側に位置するシェルフユニットの後側下端部との間を遮蔽板が架け渡すような角度（以下、所期する傾斜角度とも称する）に設定される。遮蔽板２０の取り付け作業性の観点から、角度調整具２の傾斜角度として、作業者が遮蔽板２０を保持部３に取り付け易い角度、例えば保持部３の凹溝４が水平方向に沿うような角度に設定することもできる。
【００２７】
２つある角度調整具２，２の傾斜角度はそれぞれ等しく設定される。図６に示すように、角度調整具取付部１１の表面１１ａには角度目盛１３が付されているので、作業者は角度目盛１３を参照することで、角度調整具２，２の傾斜角度を等しい角度に容易に設定することができる。本実施形態では、角度調整具取付部１１は角度調整具２の保持部３よりもひとまわり大きく形成されている。このため、角度調整具取付部１１の表面１１ａに角度調整具２の保持部３を重ねても角度目盛１３は完全には隠れず、作業者は角度目盛１３を視認することができる。したがって、角度調整具取付部１１の表面１１ａに角度調整具２の保持部３を重ねた状態で角度目盛１３を参照しながら角度調整具２の傾斜角度を設定できるので、利便性が高まり作業性がより一層向上する。
【００２８】
角度調整具２の傾斜角度を設定した後、図５（ｃ）に示すように、角度調整具２のネジ部５にその先端部からナット１６をねじ込み、角度調整具２を角度調整具取付板１０に固定する。
【００２９】
次に、図５（ｄ）に示すように、角度調整具２の保持部３の凹溝４に、遮蔽板２０の左右方向の端部を前方または後方から差し込む。角度調整具２の保持部３の凹溝４に差し込まれた遮蔽板２０は、その左右方向両端部が角度調整具２の保持部３で保持される。ここで、遮蔽板２０の取り付け作業性の観点から、例えば角度調整具２の傾斜角度を保持部３の凹溝４が水平方向に沿うような角度に設定したことによって下側に位置するシェルフユニットの前側上端部と上側に位置するシェルフユニットの後側下端部との間に遮蔽板２０が架け渡されないような場合には、ネジ部５のナット１６を緩めて角度調整具２を回動可能にし、角度調整具２を所期する傾斜角度に設定した後、ナット１６を締めて角度調整具２を角度調整具取付板１０に固定すればよい。こうして、取付装置１に遮蔽板２０が取り付けられ、図１に示すように、下側に位置するシェルフユニット３０の前側上端部と上側に位置するシェルフユニット３０の後側下端部との間を架け渡した遮蔽板２０が設けられる。
【００３０】
ところで、本実施形態の取付装置１は、その取付装置１に取り付けられた遮蔽板２０を別の遮蔽板に簡単に取り替えることができる。遮蔽板２０は角度調整具２の保持部３の凹溝４に差し込まれて保持されているので、この遮蔽板２０を前方もしくは後方に引き出すことで、取付装置１から遮蔽板２０を簡単に取り外すことができる。別の遮蔽板を取付装置１に取り付ける場合には、角度調整具２の保持部３の凹溝４に、その別の遮蔽板の左右方向の端部を前方または後方から差し込めばよい。
【００３１】
次に、電子部品の発熱量や前後方向の長さ寸法が異なるシェルフユニットに対して本実施形態の取付装置を適用した一例について説明する。図１において、シェルフユニット３０とは別の、電子部品の発熱量や前後方向の長さ寸法が異なるシェルフユニット３１が一点鎖線で示されている。
【００３２】
この一例では、まず、最上段に位置する遮蔽板２０を取付装置１から取り外す。次いで、角度調整具２を回動可能にネジ部のナットを緩めて角度調整具２の傾斜角度を調節する。角度調整具２の傾斜角度は、所期する傾斜角度に設定される。次いで、角度調整具２の保持部の凹溝に、遮蔽板２１（図中、一点鎖線で示す）の左右方向の端部を前方または後方から差し込む。角度調整具２の保持部の凹溝に差し込まれた遮蔽板２１は、その左右方向両端部が角度調整具２の保持部で保持される。
【００３３】
この一例では、取付装置１に遮蔽板２１を取り付ける前に角度調整具２を所期する傾斜角度に設定しているが、取付装置１に遮蔽板２１を取り付けた後に角度調整具２を所期する傾斜角度に設定することもできる。また、遮蔽板２０を取り替えずにそのまま遮蔽板２０を用いることもできる。
【００３４】
このように本実施形態の取付装置では、シェルフユニットに応じて傾斜角度を調節した角度調整具で遮蔽板を保持することができる。したがって、本実施形態の取付装置は、各種のシェルフユニットに対応可能である。本実施形態の取付装置は、固定架に固定された角度調整具で遮蔽板を保持するという簡単な構造である。本実施形態の取付装置に遮蔽板が取り付けられて上下のシェルフユニットの間に遮蔽板が設けられると、上側のシェルフユニット内を経由しない、下側のシェルフユニットからの暖められた空気の流通路が形成される。したがって、本実施形態の取付装置は、自然空冷のための空気の流通路を簡素な構造で確保することができる。
【００３５】
以上、本発明の実施形態について説明したが、この実施形態に限定されるものではなく、本発明の趣旨を逸脱しない範囲で各種の変更が可能である。例えば、角度調整具を上下方向に移動自在に固定架に固定することができる。具体的には、角度調整具取付板に設けられる固定架取付用穴を上下方向に延びる長穴とする。こうすることで、その長穴の分だけ角度調整具取付板を上下方向にずらすことができ、この角度調整具取付板に固定される角度調整具を長穴の分だけ上下方向にずらして固定架に固定することができる。固定架の前板部のネジ穴（角度調整具取付板の固定架取付用穴に対応するネジ穴）を上下方向に沿って複数設けてもよい。適宜のネジ穴に角度調整具取付板をネジ止めすることで角度調整具取付板に固定される角度調整具を上下方向にずらして固定架に固定することができる。このように角度調整具を上下方向に移動自在とされているので、角度調整具が保持する遮蔽板の傾斜角度に加えて遮蔽板の上下方向の配置位置についても調節することができる。これによって遮蔽板の配置位置をより柔軟に決定することができるので、対応可能なシェルフユニットの種類はより広範囲なものとなる。
【符号の説明】
【００３６】
１  遮蔽板の取付装置
２  角度調整具
４  凹溝
６  固定架
１０  角度調整具取付板
１３  角度目盛
２０，２１  遮蔽板
３０，３１  シェルフユニット
【図１】
2016134401.tif 000003
【図２】
2016134401.tif 000004
【図３】
2016134401.tif 000005
【図４】
2016134401.tif 000006
【図５】
2016134401.tif 000007
【図６】
2016134401.tif 000008
【図７】
2016134401.tif 000009